(57)【特許請求の範囲】
【請求項１】
扉に取着される鎖錠装置本体と、
鎖錠装置本体を貫通する回転軸部と、
鎖錠装置本体裏面で回転軸部を保持する回転軸部支持部に設けられた弾性体保持部に、回転不能に固定した弾性部材と、
前記鎖錠装置本体の裏面で弾性部材を挟持可能に前記回転軸部に連結され、回転軸部の回転に連動して回転し施錠したり解錠したりする鎖錠片とを備える扉鎖錠装置であって、
前記弾性部材には鎖錠片との当接面に係止部を設け、前記鎖錠片には前記係止部で係止される被係止部を設けたことを特徴とする扉鎖錠装置。
【請求項２】
扉に取着される鎖錠装置本体と、
鎖錠装置本体を貫通する回転軸部と、
前記回転軸部に連結され、回転軸部の回転に連動して回転し施錠したり解錠したりする鎖錠片と、
前記鎖錠片に設けられた弾性体保持部に回転不能に固定した弾性部材とを備える扉鎖錠装置であって、
前記弾性部材には前記鎖錠装置本体裏面で回転軸部を保持する回転軸部支持部との当接面に係止部を設け、前記回転軸部支持部には前記係止部で係止される被係止部を設けたことを特徴とする扉鎖錠装置。
【請求項３】
鎖錠片が箱体の開口縁部に係合し施錠状態となる際に被係止部が存在する位置に相対して、弾性部材の係止部が位置するものであることを特徴とする請求項１または２記載の扉鎖錠装置。
【請求項４】
鎖錠片に設けられた前記被係止部が孔又は凹部又は切り抜き形状であることを特徴とする請求項１または２記載の扉鎖錠装置。
【発明の詳細な説明】
【技術分野】
【０００１】
本発明は扉鎖錠装置に関するものである。具体的には電子機器収納用箱体等であって箱体の振動による解錠が問題となる扉鎖錠装置に関するものである。
【背景技術】
【０００２】
電子機器収納用箱体に開閉自在に取着された扉には、蝶番が箱体の右側に設けられた所謂左開き扉、蝶番が箱体の左側に設けられた所謂右開き扉、蝶番が箱体の上側に設けられた所謂下開き扉、蝶番が箱体の下側に設けられた所謂上開き扉がある。
【０００３】
電気機器収納用箱の扉鎖錠装置は、扉に取着された扉鎖錠装置本体の貫通孔に回転軸部を回転自在に装着し、扉鎖錠装置本体の裏面側に配置した鎖錠板を回転軸部に連結して構成され、当該本体表面から連結軸を操作して鎖錠板を回転して箱体に係合又は非係合状態として施錠したり解錠したりするものであるが、電気機器収納用箱に収納される内部機器や周辺機器の振動により、鎖錠板に施錠位置からのずれが生じ、更に鎖錠片が自重で重力方向に移動して解錠し、扉が開いてしまう問題があった。
【０００４】
この問題に対し、例えば、左開き扉では鎖錠板の解錠位置を上方向とし施錠位置を左方向とし、右開き扉では鎖錠板の解錠位置を上方向とし施錠位置を右方向とすることで対処可能である。また、上開き扉の場合には電気機器収納用箱の側面に扉鎖錠装置を設け鎖錠板の解錠位置を上方向とし、施錠位置を右又は左方向とすることで対処可能である。しかし、このように扉鎖錠装置の設置位置や、鎖錠板の解錠位置が規制されることなく、前記問題解決を図ることへの需要があった。
【０００５】
なお、特許文献１には、連結軸を所望の回転位置に停止保持できる回転クリック機構の技術が開示されている。当該技術は、扉鎖錠装置本体に係止部を設け、連結軸を通したガイドプレートを扉鎖錠装置本体の係止部に回転不能に固定し、一方連結軸には、板ばねをC型止め輪によって回転不能に固着し、前記ガイドプレートに設けたクリック穴と、前記板ばねに設けたクリック突起の係止によって連結軸を所望の回転位置に停止保持するものである。しかし当該技術では、必要な部品数が多く、組み付け作業も煩雑であるという問題があった。
【特許文献１】特開平１０−１２１７９８号公報
【発明の開示】
【発明が解決しようとする課題】
【０００６】
本発明の目的は、簡易な部品の組み合わせにより、回転軸部を所望の回転位置に停止保持可能とする扉鎖錠装置を提供することである。
【課題を解決するための手段】
【０００７】
上記課題を解決するためになされた本発明に係る扉鎖錠装置は、扉に取着される鎖錠装置本体と、鎖錠装置本体を貫通する回転軸部と、鎖錠装置本体裏面で回転軸部を保持する回転軸部支持部に設けられた弾性体保持部に、回転不能に固定した弾性部材と、前記鎖錠装置本体の裏面で弾性部材を挟持可能に前記回転軸部に連結され、回転軸部の回転に連動して回転し施錠したり解錠したりする鎖錠片とを備える扉鎖錠装置であって、前記弾性部材には鎖錠片との当接面に係止部を設け、前記鎖錠片には前記係止部で係止される被係止部を設けたことを特徴とするものである。
【０００８】
請求項２に係る扉鎖錠装置は、扉に取着される鎖錠装置本体と、鎖錠装置本体を貫通する回転軸部と、前記回転軸部に連結され、回転軸部の回転に連動して回転し施錠したり解錠したりする鎖錠片と、前記鎖錠片に設けられた弾性体保持部に回転不能に固定した弾性部材とを備える扉鎖錠装置であって、前記弾性部材には前記鎖錠装置本体裏面で回転軸部を保持する回転軸部支持部との当接面に係止部を設け、前記回転軸部支持部には前記係止部で係止される被係止部を設けたことを特徴とするものである。
【０００９】
請求項３に係る扉鎖錠装置は、請求項１または２記載の扉鎖錠装置において鎖錠片が箱体の開口縁部に係合し施錠状態となる際に被係止部が存在する位置に相対して、弾性部材の係止部が位置するものであることを特徴とするものである。
【００１０】
なお、請求項４に記載のように、前記鎖錠片に設けられた被係止部の形状は、孔又は凹部又は切り抜き形状であることが好ましい。
【発明の効果】
【００１１】
請求項１に係る扉鎖錠装置によれば、扉鎖錠装置本体に設けた弾性体保持部に回転不能に保持された弾性部材の係止部と、鎖錠片の被係止部との係合により、鎖錠片を当該係合位置に保持することが可能となる。
【００１２】
請求項２に係る扉鎖錠装置によれば、鎖錠片に設けた弾性体保持部に回転不能に保持された弾性部材の係止部と、鎖錠装置本体の回転軸部支持部に設けた被係止部との係合により、鎖錠片を当該係合位置に保持することが可能となる。
【００１３】
請求項３に係る扉鎖錠装置によれば、鎖錠片は施錠位置に保持され電気機器収納用箱に収納される内部機器や周辺機器の振動により、鎖錠板が施錠位置から移動して解錠し扉が開いてしまう問題が回避可能となる。
【００１４】
また、請求項３に係る扉鎖錠装置によれば、係止部と被係止部との係合或いは非係合操作が容易となり、操作性の向上がはかられる。
【発明を実施するための最良の形態】
【００１５】
以下、請求項１に係る扉鎖錠装置に係る扉鎖錠装置を図１〜図９に基づいて詳細に説明する。図１は請求項１に係る扉鎖錠装置の分解斜視図、図２は請求項１に係る鎖錠装置本体裏面の弾性部材保持部に弾性部材を保持させた背面図、図３は所謂左開き扉を有する電気機器収納用箱に取り付けられた本発明に係る扉鎖錠装置の外観図、図４は所謂上開き扉を有する電気機器収納用箱に取り付けられた本発明に係る扉鎖錠装置の外観図、図５は請求項１に係る扉鎖錠装置の鎖錠板を回転して電気機器収納用箱に係合させ施錠状態とした図３又は図４のABCD面断面図、図６は図３又は図４の扉鎖錠装置背面部拡大斜視図、図７aは図１の弾性部材の上面図、図７(ｂ)は図１の弾性部材のEE面断面図、図７(ｃ)は図１の弾性部材のFF面断面図、図８は図１の鎖錠片の背面図である鎖錠片の第１の形態、図９は鎖錠片の第２の形態である。
【００１６】
本発明の扉鎖錠装置は、図１に示すように、鎖錠装置本体１と、鎖錠装置本体１を貫通する回転軸部２と、鎖錠装置本体１裏面の回転軸部支持部３に設けられた弾性部材保持部４に回転不能に固定した弾性部材５と、鎖錠装置本体１の裏面で弾性部材５を挟持可能に前記回転軸部２に連結される鎖錠片７とから構成される。
【００１７】
鎖錠装置本体１は、図１に示すように、鎖錠装置本体１を貫通する回転軸部２を有し、鎖錠装置本体１裏面の回転軸部２周辺には回転軸部支持部３が形成されている。回転軸部材支持部３には弾性部材保持部４が形成されている。鎖錠装置本体１は、図３又は図４に示すように電子機器収納用箱１２の扉表面に取り付けられ、その後、図１に示す鎖錠装置本体固定用ネジ穴１１と鎖錠装置本体固定板９のネジ貫通孔１０が重なるように鎖錠装置本体固定板９をあてがい、鎖錠装置本体固定用ネジ１４にて固定する。図５又は図６には電子機器収納用箱に固定された扉鎖錠装置を示している。
【００１８】
回転軸部２は、鎖錠装置本体１裏面に設けた回転軸部支持部３内に回転可能に支持されている。回転軸部２は、扉に取着された鎖錠装置本体１の貫通孔に回転自在に装着される。回転軸部２は、鎖錠装置本体１の扉側に設けられた、回転軸部操作手段により回転操作される。回転軸部操作手段には、図３又は図４に示すようなコインやマイナスドライバを差し込んで回転操作を行う手段や、プラスドライバを差し込んで回転操作を行う手段や、操作時に専用ハンドルを差し込んで回転操作を行う手段等がある。
【００１９】
弾性部材保持部４は、図７(ａ)に示される弾性部材５の中心部から周辺部に向かって形成されている切り抜き形状５aが嵌め込み可能な形状を有している。また、図７(ｃ)に示される弾性部材５の厚み５ｂと同等の厚みを有している。図２には、弾性部材保持部４に弾性部材５が嵌めこまれた状態図を示している。
【００２０】
弾性部材５は、回転軸部２を保持する回転軸部支持部３上面に設けられた弾性体保持部４に回転不能に固定されている。図７(ａ)〜図７(ｃ)に示すように当該弾性部材５には係止部６a、６bが設けられている。なお、係止部は少なくとも一箇所以上設ければ良く６a、６bの２か所に限定されるものではない。
【００２１】
図５又は図６に示すように、係止部６a、６bの位置を、鎖錠片６が箱体１２の開口縁部１３に係合し施錠状態となる際に鎖錠片７の被係止部８a、８b、８c、８dが位置する角度に設けることで鎖錠片は施錠位置に保持され電気機器収納用箱に収納される内部機器や周辺機器の振動により鎖錠板が施錠位置から移動して解錠し扉が開いてしまう問題が回避可能となる。また、回転操作の操作感の変化によって、操作者が施錠位置や解錠位置を確実に定めることが可能となる。
【００２２】
図６に示すように、鎖錠片６は、鎖錠装置本体１の裏面で弾性部材５を挟持可能に回転軸部２に鎖錠片固定用ネジ１５により連結される。図８又は図９に示すように、鎖錠片６は弾性部材５に設けた係止部６a、６bで係止される被係止部８a、８b、８c、８dを有し、図６に示すように、鎖錠片６は、回転軸２の回転に連動して箱体１２の開口縁部１３に係合又は非係合状態となって施錠したり解錠したりする。なお、被係止部８a、８b、８c、８dは、図８に示すように孔状でも良いし、図９に示すように切り欠き状でも良いし、図示しない凹部形状でも良い。
【００２３】
係止部６a、６bで係止された被係止部８a、８b、８c、８dは、電子機器収納用箱体内の電子機器の振動では係止部６a、６bから抜脱することなく、一方、解錠が必要な場合には回転軸部を回転させて弾性部材に圧力を加えて拘束を解除できる当該電子機器収納用箱体内の扉鎖錠装置として必要十分な停止保持力を有している。
【００２４】
なお、上記の実施形態では鎖錠片に被係止部を設けた請求項１に係る発明に対応した扉鎖錠装置の実施形態を説明したが、鎖錠装置本体裏面で回転軸部を保持する回転軸部支持部に被係止部を設けた請求項２に係る扉鎖錠装置とすることも可能である。
【図面の簡単な説明】
【００２５】
【図１】本発明に係る扉鎖錠装置の分解斜視図である。
【図２】鎖錠装置本体裏面の弾性部材保持部に弾性部材を保持させた背面図である。
【図３】左開き扉の電気機器収納用箱に取り付けられたの外観図である。
【図４】上開き扉の電気機器収納用箱に取り付けられた扉鎖錠装置の外観図である。
【図５】扉鎖錠装置を施錠状態とした図３又は図４のABCD面断面図である。
【図６】図３又は図４の扉鎖錠装置背面部拡大斜視図である。
【図７（ａ）】図１の弾性部材の上面図である。
【図７（ｂ）】図１の弾性部材のEE面断面図である。
【図７（ｃ）】図１の弾性部材のFF面断面図である。
【図８】鎖錠片の第１の形態である。
【図９】鎖錠片の第２の形態である。
【符号の説明】
【００２６】
１  鎖錠装置本体
２  回転軸部
３  回転軸部支持部
４  弾性部材保持部
５  弾性部材
６a、６b  係止部
７  鎖錠片
８a、８b、８ｃ、８ｄ被係止部
９  鎖錠装置本体固定板
１０  ネジ貫通孔
１１  鎖錠装置本体固定用ネジ穴
１２  電子機器収納用箱
１３  箱体の開口縁部
１４  鎖錠装置本体固定用ネジ
１５  鎖錠片固定用ネジ
１６  扉鎖錠装置
【図１】
0005072689.tif 000002
【図２】
0005072689.tif 000003
【図３】
0005072689.tif 000004
【図４】
0005072689.tif 000005
【図５】
0005072689.tif 000006
【図６】
0005072689.tif 000007
【図７（ａ）】
0005072689.tif 000008
【図７（ｂ）】
0005072689.tif 000009
【図７（ｃ）】
0005072689.tif 000010
【図８】
0005072689.tif 000011
【図９】
0005072689.tif 000012